(57)【要約】【課題】排水穴に正確な姿勢で強固に取付ける。【解決手段】多数の通水孔２を設けた蓋部３と、該蓋部３より小径な円筒状の胴部４を合成樹脂製にて一体形成し、蓋部３は胴部４が挿入される排水穴Ｈより大径に形成し、胴部４はその自由端から固定端側へ向かって形成された切込み５により分割されると共に、外方突出する爪片６を設け、排水穴Ｈを設けた側溝等の側壁Ｗに蓋部３が当接するまで胴部４を排水穴Ｈに挿入することにより、正確な姿勢で挿入されたことを外部より確認し、又胴部４の分割片４ａに弾性が付与されることにより、その外側の爪片６が排水穴Ｈの内壁を押圧して掛止する。【選択図】        図６
2005042332.tif 000002
【特許請求の範囲】
【請求項１】
多数の通水孔を設けた蓋部と、該蓋部より小径な円筒状の胴部を合成樹脂製にて一体形成し、蓋部は胴部が挿入される排水穴より大径に形成し、胴部はその自由端から固定端側へ向かって形成された切込みにより分割されると共に、外方突出する爪片を設けたことを特徴とする土砂流出防止用排水フィルター。
【請求項２】
爪片を排水穴に設けた爪受け部に掛止したことを特徴とする請求項１記載の土砂流出防止用排水フィルター。
【請求項３】
切込みは、先端が胴部の固定端まで達しない様に形成したことを特徴とする請求項１又は２記載の土砂流出防止用排水フィルター。
【発明の詳細な説明】
【０００１】
【発明の属する技術分野】
本発明は、側溝等の側壁に貫設した排水穴に取付けられる土砂流出防止用排水フィルターに関する。
【０００２】
【従来の技術】
従来、この種の排水フィルターは、合成樹脂製でテーパー状に形成された胴部の一側に多孔板が連設され、胴部は開放端側より多孔板へ至る複数条の切欠溝により複数片に分割され、弾性が付与されている（例えば、特許文献１参照）。
そして、この排水フィルターを側溝等の側壁に貫設されたテーパー状の排水穴に挿入すると、その切欠溝によって分割された胴部が縮径し、弾性を有しながら排水穴内で密着係合する。
【０００３】
【特許文献１】
実開昭５８−２５３８５号公報
【０００４】
【発明が解決しようとする課題】
しかしながら、上記排水フィルターは、切欠溝によって胴部に弾性付与しているだけであり、その全体を排水穴に挿入するものであるため、胴部の挿入中に排水穴に分割片外面が密着する様に広がり、排水穴に挿入する際に傾き易く、正確な姿勢で挿入するには注意を要し、その挿入作業が甚だ面倒であった。
又、挿入状態では排水フィルターの排水穴に対する正確な姿勢が視認できないので、排水フィルターが傾いた状態で挿入されると、側溝内への土砂流出を効果的に防止できなかった。
そこで、本発明は、排水穴に正確な姿勢で強固に取付けられる様にした土砂流出防止用排水フィルターを提供することを目的としている。
【０００５】
【課題を解決するための手段】
本発明は、上記課題に鑑み、多数の通水孔を設けた蓋部と、該蓋部より小径な円筒状の胴部を合成樹脂製にて一体形成し、蓋部は胴部が挿入される排水穴より大径に形成し、胴部はその自由端から固定端側へ向かって形成された切込みにより分割されると共に、外方突出する爪片を設け、排水穴を設けた側溝等の側壁に蓋部が当接するまで胴部を排水穴に挿入することにより、正確な姿勢で挿入されたことを外部より確認できる様にし、又胴部における分割片に弾性が付与されることにより、その外側の爪片が排水穴の内壁を押圧してその内壁に掛止し、又は分割片の爪片を排水穴内に設けた小径段部から成る爪受け部に掛止し、排水穴に強固に取付けられる様にして、上記課題を解決する。
又、切込みは先端が胴部の固定端まで達しない様に形成して蓋部の強度を向上させ、排水穴内に胴部を挿入した時に分割片の弾性変形が蓋部にまで影響を及ぼすことがない様にして蓋部の変形を防止する。
【０００６】
【発明の実施の形態】
以下本発明の一実施例を図面に基づいて説明する。
本発明に係る排水フィルター１は、コンクリート製の側溝等の側壁Ｗにテーパー状に貫設した排水穴Ｈに取付けられるものにして、多数の通水孔２を設けた蓋部３と、該蓋部３より小径な円筒状の胴部４を合成樹脂製にて一体形成している。
尚、本実施例では、排水穴Ｈは、側溝の側壁Ｗの外側に向かうに従い縮径したテーパー穴を示しているが、側壁Ｗの内側に向かうに従い縮径したテーパー穴、又は側壁Ｗの内側と外側に渡って内径が同一の穴であっても良い。
【０００７】
蓋部３は、胴部４が挿入される排水穴Ｈの外側開口部Ｈ１又は内側開口部Ｈ２より大径に形成している。
胴部４は、その自由端から固定端側へ向かって徐々に幅狭となる複数条の切込み５を円周方向で等間隔を置いて形成し、この切込み５によって胴部４を複数の分割片４ａに形成し、弾性を付与している。
そして、胴部４における各分割片４ａの自由端には、自由端に向かって下り傾斜した断面三角形状の爪片６を外方へ突出形成している。
尚、爪片６は、各分割片４ａの幅方向の中間部位に部分的に突設したものを示したが、分割片４ａの幅方向全体に突設しても良い。
又、切込み５は、図５に示す様に、その先端が胴部４の固定端にまで達しない様に形成しても良い。
これにより、胴部４の固定端が円形に連続して蓋部３に連設させられ、胴部４を排水穴Ｈに挿入した場合において、分割片４ａの弾性変形によって蓋部３が変形しない様に補強している。
【０００８】
排水フィルター１は、基本的に側壁Ｗの外壁面Ｗ１に露出する排水穴Ｈの外側開口部Ｈ１より胴部４を挿入して蓋部３を外側開口部Ｈ１周りの外壁面Ｗ１に当接することにより取付けられる（図６参照）。
胴部４が排水穴Ｈに挿入された状態では、弾性が付与された分割片４ａの爪片６先端が排水穴Ｈの内壁を押圧して強固に掛止している。
そして、側溝を設置場所に敷設した状態では、外壁面Ｗ１に当接した蓋部２が土砂に押圧され、排水フィルター１を抜止する。
尚、排水フィルター１は、側壁Ｗの内壁面Ｗ２に露出する排水穴Ｈの内側開口部Ｈ２より胴部４を挿入して蓋部３を内側開口部Ｈ２周りの内壁面Ｗ２に当接することにより取付けても良いが、この場合には、上記の様に土圧による排水フィルター１の抜止めは期待できない。
【０００９】
図７に示す様に、排水フィルター１は、爪片６を排水穴Ｈに設けた爪受け部ＨＲに掛止する様に成しても良い。
爪受け部ＨＲは、排水穴Ｈへの胴部４の挿入状態で、爪片６が掛止する小径段部である。
そして、蓋部３が側壁Ｗに当接するまで排水穴Ｈに胴部４を挿入することで爪受け部ＨＲに爪片６が掛止し、これにより、より確実にして強固に排水フィルター１を排水穴Ｈに取付けられる。
【００１０】
上記の様に排水フィルター１が排水穴Ｈに取付けられることにより、蓋部３の複数の通水孔２を通して側溝の外側の水だけを側溝内に導入させ、側溝の外側の土砂の側溝内への流出を防止する。
【００１１】
【発明の効果】
要するに本発明は、多数の通水孔２を設けた蓋部３と、該蓋部３より小径な円筒状の胴部４を合成樹脂製にて一体形成し、蓋部３は胴部４が挿入される排水穴Ｈより大径に形成し、胴部４はその自由端から固定端側へ向かって形成された切込み５により分割されると共に、外方突出する爪片６を設けたので、蓋部３を側壁Ｗに当接するまで胴部４を排水穴Ｈに挿入することで胴部４が正確な姿勢で排水穴Ｈ内に挿入されたことが一見して確認できると共に、胴部４の挿入状態において胴部４における分割片４ａに弾性が付与されていることで、その外側の爪片６が排水穴Ｈの内壁を押圧保持した状態で掛止し、排水穴Ｈに排水フィルター１を強固に取付けできる。
又、胴部４は円筒状でその外側に爪片６が突出しているため、排水穴Ｈ内への胴部４の挿入中において、排水穴Ｈの内壁には分割片４ａの外面全体でなく、爪片６が接触しているだけのため、胴部４の挿入を容易に行える。
又、上記の如く爪片６が分割片４ａの弾性によって排水穴Ｈに押圧状態で掛止するため、排水穴Ｈが、側壁Ｗの外側に向かうに従い縮径したテーパー状、又は側壁Ｗの内側に向かうに従い縮径したテーパー状であって、その大径開口部又は小径開口部のいずれにも、或いは側壁Ｗの内側と外側に渡り同一口径の寸胴状であっても、簡単容易に取付けでき、その取付状態を強固に保持できる。
更に、側壁Ｗの外側から排水フィルター１を取付けた場合、側溝の敷設状態で土砂が蓋部３を押圧するため、より確実に抜止めできる。
【００１２】
爪片６を排水穴Ｈに設けた爪受け部ＨＲに掛止することにより、蓋部３が側壁Ｗに当接することと相俟って、より強固に排水穴Ｈに取付けでき、排水穴Ｈから脱落する恐れがない。
【００１３】
切込み５は、その先端が胴部４の固定端にまで達しない様に形成したので、胴部４の固定端が円形に連続してその固定端に連設した蓋部３の強度を向上でき、胴部４を排水穴Ｈに挿入した時に分割片４ａの弾性変形が蓋部３にまで影響を及ぼすことがなく蓋部３の変形を防止でき、排水フィルター１を排水穴Ｈにより良好に取付けできる等その実用的効果甚だ大である。
【図面の簡単な説明】
【図１】排水フィルターの平面図である。
【図２】底面図である。
【図３】正面図である。
【図４】図１のＡ−Ａ断面図である。
【図５】排水フィルターの変形例を示す側面図である。
【図６】排水穴に取付けた状態の断面図である。
【図７】爪受け部を設けた排水穴に取付けた状態の断面図である。
【符号の説明】
２  通水孔
３  蓋部
４  胴部
５  切込み
６  爪片
Ｈ  排水穴
ＨＲ  爪受け部
【図１】
2005042332.tif 000003
【図２】
2005042332.tif 000004
【図３】
2005042332.tif 000005
【図４】
2005042332.tif 000006
【図５】
2005042332.tif 000007
【図６】
2005042332.tif 000008
【図７】
2005042332.tif 000009